(57)【要約】  カメラモジュールは、筐体と、レンズと、アセンブリと、端子と、電子部品とを有している。筐体は、前面部、その反対側の後面部、及び前面部と後面部とをつなぐ側面部を有している。レンズ５は、前面部から露出している。アセンブリは、撮像素子を含んでおり、レンズに対して後面部側に位置している。端子は、後面部に位置している、外部との接続用のものである。フレキシブル基板は、アセンブリから端子へ延びている部分を含んでいる。電子部品は、フレキシブル基板に実装されている。
2019181825.tif 000002
【特許請求の範囲】
【請求項１】
前面部、その反対側の後面部、及び前記前面部と前記後面部とをつなぐ側面部を有している筐体と、
前記前面部から露出しているレンズと、
撮像素子を含んでおり、前記レンズに対して前記後面部側に位置しているアセンブリと、
前記後面部に位置している、外部との接続用の端子と、
前記アセンブリから前記端子へ延びている部分を含んでいるフレキシブル基板と、
前記フレキシブル基板に実装されている電子部品と、
を有しているカメラモジュール。
【請求項２】
前記フレキシブル基板は、
前記後面部の内面に対向しているとともに前記端子と接続されている端子接続部と、
前記端子接続部の外縁の一部から前記アセンブリまで延びている中継部と、
前記端子接続部の外縁の他の一部から延び出ている延長部と、を有しており、
前記電子部品は、前記延長部に実装されている
請求項１に記載のカメラモジュール。
【請求項３】
前記延長部は、前記側面部の内面に重複可能な重複領域を有しており、
前記電子部品は、前記重複領域に実装されている
請求項２に記載のカメラモジュール。
【請求項４】
前記筐体は、前記前面部及び前記後面部の外縁に沿って複数の前記側面部を有しており、
前記フレキシブル基板は、前記端子接続部から互いに異なる前記側面部に向かって延びる複数の前記延長部を有しており、
前記複数の延長部それぞれの前記重複領域には、複数の前記電子部品のいずれかが実装されている
請求項３に記載のカメラモジュール。
【請求項５】
前記中継部及び前記延長部の数の合計と、前記側面部の数とが同一である
請求項４に記載のカメラモジュール。
【請求項６】
前記フレキシブル基板は、前記後面部の内面に対向している後面対向部を有しており、
前記電子部品は、前記後面対向部に実装されている
請求項１に記載のカメラモジュール。
【請求項７】
前記フレキシブル基板は、前記側面部の内面に対向している側面対向部を有しており、
前記電子部品は、前記側面対向部に実装されている
請求項１に記載のカメラモジュール。
【請求項８】
前記フレキシブル基板は、
前記後面部の内面に対向しているとともに前記端子に接続されている端子接続部と、
前記端子接続部から前記アセンブリまで延びている中継部と、
前記中継部から前記端子接続部に対して分岐するように延び出ている分岐部と、を有しており、
前記電子部品は、前記分岐部に実装されている
請求項１に記載のカメラモジュール。
【請求項９】
前記フレキシブル基板は、
前記後面部の内面に対向しているとともに前記端子に接続されている端子接続部と、
前記端子接続部の外縁の一部から前記アセンブリまで延びている中継部と、
前記端子接続部の外縁の他の一部から延び出ている、又は前記中継部から前記端子接続部と分岐するように延び出ている延在部と、を有しており、
前記電子部品は、前記延在部に実装されており、
前記延在部は、前記電子部品よりも根本側に、前記フレキシブル基板を展開したときの平面視において曲がっている曲げ部を有している
請求項１に記載のカメラモジュール。
【請求項１０】
前記フレキシブル基板は、
前記後面部の内面に対向しているとともに前記端子に接続されている端子接続部と、
前記端子接続部の外縁の一部から前記アセンブリまで延びている中継部と、
前記端子接続部の外縁の他の一部から延び出ている、又は前記中継部から前記端子接続部と分岐するように延び出ている延在部と、を有しており、
前記電子部品は、前記延在部に実装されており、
前記延在部は、前記電子部品よりも根本側に、前記フレキシブル基板の表面を曲げる方向に曲がっている曲げ部を有している
請求項１に記載のカメラモジュール。
【請求項１１】
前記曲げ部は、前記フレキシブル基板の表面を曲げる方向において交互に２回以上曲がっている
請求項１０に記載のカメラモジュール。
【請求項１２】
前記フレキシブル基板は、
絶縁性かつフィルム状の基材と、
前記基材の一方の主面に重なっており、前記電子部品が実装されている導体パターンを含んでいる第１導電層と、
前記基材の他方の主面に重なっており、前記フレキシブル基板を展開したときの平面透視において、前記端子の周囲から前記電子部品と重なる領域まで広がっており、基準電位が付与される第２導体層と、を有している
請求項１〜１１のいずれか１項に記載のカメラモジュール。
【請求項１３】
前面部、その反対側の後面部、及び前記前面部と前記後面部とをつなぐ側面部を有している筐体と、
前記前面部から露出しているレンズと、
撮像素子を含んでおり、前記レンズに対して前記後面部側に位置しているアセンブリと、
前記後面部に位置している、外部との接続用の端子と、
前記アセンブリから前記端子まで延びている可撓性の接続部材と、
前記アセンブリ及び前記端子に電気的に接続されているとともに、前記筐体内で、前記アセンブリから前記後面部側に離れて位置している電子部品と、
を有しているカメラモジュール。
【請求項１４】
前記電子部品は、前記撮像素子に電力を供給する電源部、及び前記撮像素子からの信号を処理する処理部の少なくとも一方を構成している
請求項１〜１３のいずれか１項に記載のカメラモジュール。
【発明の詳細な説明】
【技術分野】
【０００１】
本開示は、カメラモジュールに関する。
【背景技術】
【０００２】
車載用のカメラモジュールのように、システムの要素として利用されるカメラモジュールが知られている（例えば特許文献１）。特許文献１のカメラモジュールは、筐体と、筐体の前面に露出するレンズと、筐体の後面に露出する外部接続用の端子とを有している。筐体の内部には、レンズ側から端子側へ順に、撮像素子、撮像素子が実装されているリジッド式の第１の回路基板、第１の回路基板に接続されているリジッド式の第２の回路基板、第２の回路基板と端子とを接続しているフレキシブル基板が設けられている。第２の回路基板には、回路チップ（電子部品）が実装されている。フレキシブル基板は、第２の基板と端子とを接続する信号線パターン部と、信号線パターン部に対して分岐しているＧＮＤ線パターン部とを有している。ＧＮＤ線パターン部は、筐体内のシールドケースに接続されている。
【先行技術文献】
【特許文献】
【０００３】
【特許文献１】特開２０１１−１６６０１２号公報
【発明の概要】
【０００４】
本開示の一態様に係るカメラモジュールは、筐体と、レンズと、アセンブリと、端子と、フレキシブル基板と、電子部品と、を有している。前記筐体は、前面部、その反対側の後面部、及び前記前面部と前記後面部とをつなぐ側面部を有している。前記レンズは、前記前面部から露出している。前記アセンブリは、撮像素子を含んでおり、前記レンズに対して前記後面部側に位置している。前記端子は、前記後面部に位置している、外部との接続用のものである。前記フレキシブル基板は、前記アセンブリから前記端子へ延びている部分を含んでいる。前記電子部品は、前記フレキシブル基板に実装されている。
【０００５】
本開示の一態様に係るカメラモジュールは、筐体と、レンズと、アセンブリと、端子と、接続部材と、電子部品と、を有している。前記筐体は、前面部、その反対側の後面部、及び前記前面部と前記後面部とをつなぐ側面部を有している。前記レンズは、前記前面部から露出している。前記アセンブリは、撮像素子を含んでおり、前記レンズに対して前記後面部側に位置している。前記端子は、前記後面部に位置している、外部との接続用のものである。前記接続部材は、前記アセンブリから前記端子まで延びている可撓性のものである。前記電子部品は、前記アセンブリ及び前記端子に電気的に接続されているとともに、前記筐体内で、前記アセンブリから前記後面部側に離れて位置している。
【図面の簡単な説明】
【０００６】
【図１】第１実施形態に係るカメラモジュールを破断して示す模式的な斜視図。
【図２】図１のカメラモジュールの信号処理系の構成を示すブロック図。
【図３】第２実施形態に係るカメラモジュールを破断して示す模式的な斜視図。
【図４】第３実施形態に係るカメラモジュールを破断して示す模式的な斜視図。
【図５】第４実施形態に係るカメラモジュールを破断して示す模式的な斜視図。
【図６】第５実施形態に係るカメラモジュールを破断して示す模式的な斜視図。
【図７】第６実施形態に係るカメラモジュールを破断して示す模式的な斜視図。
【図８】第７実施形態に係るカメラモジュールを破断して示す模式的な斜視図。
【図９】図９（ａ）、図９（ｂ）及び図９（ｃ）は基準電位層を有するフレキシブル基板の一例を示す断面図、上面図及び底面図。
【発明を実施するための形態】
【０００７】
以下、本開示の実施形態について、図面を参照して説明する。なお、以下の説明で用いられる図は模式的なものである。従って、例えば、細部は省略されていることがあり、また、図面上の寸法比率は現実のものとは必ずしも一致していない。
【０００８】
第２実施形態以降において、既に説明された構成と共通または類似する構成について、既に説明された構成に付した符号を用い、また、図示や説明を省略することがある。なお、既に説明された構成と対応（類似）する構成は、既に説明された構成と異なる符号を付した場合においても、特に断りがない点については、既に説明された構成と同様とされてよい。
【０００９】
（第１実施形態）
図１は、第１実施形態に係るカメラモジュール１を破断して示す模式的な斜視図である。
【００１０】
カメラモジュール１は、例えば、車載用のものであり、運転支援及び／又は運転の記録等に利用される。例えば、カメラモジュール１は、縦、横及び高さそれぞれの寸法が１ｃｍ以上５ｃｍ以下の大きさとされており、車体の内部又は外部に、車体の前方、後方又は側方を撮像する向きで設けられる。カメラモジュール１は、不図示のＥＣＵ（Electronic Control Unit又はEngine Control Unit）に電気的に接続されており、ＥＣＵによって制御され、また、カメラモジュール１から出力した信号は、ＥＣＵによって処理される。
【００１１】
なお、カメラモジュール１の用途は車載用に限定されないし、その寸法も、上記に例示した寸法よりも小さくてもよいし、大きくてもよい。ただし、以下では、カメラモジュール１が車載用のものである場合を例に取って説明することがある。
【００１２】
（カメラモジュールの全体構成）
カメラモジュール１は、例えば、筐体３と、筐体３から露出しているレンズ５と、筐体３のレンズ５とは反対側に位置している外部接続用の複数の端子７とを有している。レンズ５の位置から理解されるように、カメラモジュール１は、紙面上方側を撮像側としている。また、紙面上下方向は光軸方向である。複数の端子７は、カメラモジュール１が車載用のものである場合においては、不図示のケーブルを介してＥＣＵに接続される。
【００１３】
また、カメラモジュール１は、筐体３の内部に、撮像素子９を含むアセンブリ１１と、アセンブリ１１から複数の端子７へ延びているフレキシブル基板１３と、フレキシブル基板１３に実装されている電子部品１５とを有している。これらによって、例えば、レンズ５が撮像素子９上に結んだ像が電気信号に変換され、複数の端子７のいずれかから出力される。特に図示しないが、カメラモジュール１は、上記の他、例えば、シールドケースを有していてもよい。
【００１４】
カメラモジュール１から出力される信号は、例えば、撮像した画像を再現するための情報（画像データ）を含む信号である。カメラモジュール１は、例えば、時間経過に伴って得られた複数の画像データ（複数フレームの画像データ）の信号を順次出力することによって、動画像の情報の提供に寄与する。なお、カメラモジュール１は、必要に応じて静止画像を取得する用途に用いられるものであっても構わない。また、カメラモジュール１は、画像データの信号に加えて、又は代えて、画像データに基づく何らかの判定結果の情報を出力してもよい。
【００１５】
（筐体）
筐体３は、例えば、レンズ５を保持する部分（前面部３ａ、鏡筒）と、アセンブリ１１等を収容する部分と、コネクタ１７を構成する部分（コネクタ筐体部３ｆ）とを含んでいる。なお、このように、本実施形態の説明では、筐体の語は、純粋な箱状部分だけでなく、比較的広い部分を指している。筐体３の内部は、例えば、基本的に密閉されている。
【００１６】
筐体３の外形は、適宜な形状とされてよい。図示の例では、筐体３の外形は、概略、底面が正方形の直角柱（端子７側）と、底面が正方形の錐台（レンズ５側）との組み合わせの形状となっている。別の観点では、筐体３は、光軸方向に見て、概略矩形の外形を有している。図１は、その矩形の一の対角線に沿って破断した模式的な斜視図となっている。また、コネクタ筐体部３ｆは、複数の端子７を囲むように突出する筒状に形成されている。ここでいう筒は、接続方向（ここでは光軸方向と同じ方向）に見て、円形であってもよいし、矩形であってもよい。
【００１７】
もちろん、筐体３の外形は、上記の形状に限定されるものではない。例えば、筐体３の外形の概略形状は、直方体であってもよいし、直方体（端子７側）と当該直方体から突出する円柱（レンズ５側）との組み合わせの形状であってもよいし、四角形以外の多角形（例えば５角形）を底面とする直角柱であってもよいし、そのような直角柱（端子７側）と当該直角柱から突出する円柱（レンズ５側）との組み合わせであってもよいし、円柱であってもよいし、よりデザイン性が高い形状であってもよい。上記で挙げた各円柱は、レンズ５を保持する鏡筒とされている部分であってよい。なお、以下では、図示の例のように、筐体３の外形が端子７側に直方体状又は直角柱状の部分を含む場合を例に取って説明することがある。
【００１８】
筐体３の内部空間の形状（内表面の形状）も適宜な形状とされてよい。図示の例では、筐体３の内部空間の形状は、概略、上述した筐体３の外形と相似形となっている。従って、筐体３は、少なくとも端子７側に概略直方体状の空間を有している。別の観点では、筐体３は、端子７側に、光軸に直交する平面状の内面（後面部３ｂの内面）と、その四方を囲む平面状の壁面（側面部３ｄの内面）を有している。
【００１９】
もちろん、筐体３の内部空間の形状は、上記の形状に限定されるものではなく、例えば、端子７側に、四角柱以外の多角柱又は円柱を含む形状であってもよい。ただし、以下の説明では、端子７側に概略直方体状の空間が形成されている場合を例に取って説明することがある。
【００２０】
筐体３を複数の部位に分けて考えると、例えば、筐体３は、撮像側（レンズ５の前側）に面する前面部３ａと、その反対側の後面部３ｂと、前面部３ａと後面部３ｂとをつなぐ外周面部３ｃ（側面部３ｄ）とを有している。外周面部３ｃは、前面部３ａと後面部３ｂとをその全周に亘ってつなぐ部分である。外周面部３ｃのうち、光軸方向に見て多角形の辺となる部分については、側面部３ｄというものとする。図示の例では、外周面部３ｃは、筐体３の外形が少なくとも端子７側に直角柱状の部分を含んでいることから、４つの側面部３ｄを有している。
【００２１】
上述した筐体３の外形の説明から理解されるように、これら各部（３ａ〜３ｄ）の外表面の形状は、適宜な形状とされてよい。図示の例では、前面部３ａの外表面は錐台の上底を構成している。後面部３ｂの外表面は、直角柱の底面（端子７側）を構成している。外周面部３ｃ（側面部３ｄ）の外表面は、錐台の側面及び直角柱の側面を構成している。
【００２２】
なお、筐体３の外形に応じて、各部（３ａ〜３ｄ）の境界は適宜に定義されてよい。例えば、図示の例とは異なり、筐体３の外形が直方体（端子７側）と直方体から突出する円柱（レンズ５側）との組み合わせの形状である場合、前面部３ａは、円柱のレンズ５側の底面を構成する部分と定義されてもよいし、円柱全体と直方体の円柱側の平面とを構成する部分と定義されてもよい。
【００２３】
各部（３ａ〜３ｄ）の形状は、上述した筐体３の外表面及び内表面の形状を実現するように適宜に設定されてよい。図示の例では、前面部３ａ、後面部３ｂ及び外周面部３ｃそれぞれは、概略、これらの外表面が面する方向を厚さ方向とする概ね一定の厚さの板状に形成されている。なお、ここでいう板状は、平板状（図示の例）だけでなく、湾曲した板状（例えば円筒を構成するような板状）のものを含む。
【００２４】
もちろん、各部（３ａ〜３ｄ）の形状は、上記のような各部の外表面が面する方向を厚さ方向とする板状に限定されない。例えば、筐体３は、光軸周りの筒状部分（レンズ５を保持する鏡筒）を含み、前面部３ａは、その筒状部分の先端部（筒の縁部）であってもよい。
【００２５】
筐体３は、例えば、複数の部材が組み合わされて構成されている。筐体３の分割位置（複数の部材間の境界の位置）、及び複数の部材の数等は適宜に設定されてよい。例えば、筐体３は、レンズ５側の前側筐体１９と、その反対側の後側筐体２１とを有している。
【００２６】
前側筐体１９は、レンズ５とは反対側が開放された箱状（箱は直方体状に限定されない。以下、同様。）の部材である。後側筐体２１は、レンズ５側が開放された箱状の部材である。そして、両者の開放側同士を連結することによって、筐体３が構成されている。両者の連結は、係合、ねじ止め、接着など、公知の種々の方法によってなされてよい。また、一方の開放側縁部は、他方の開放側縁部の内側に嵌合してもよい。
【００２７】
特に図示しないが、前側筐体１９及び後側筐体２１それぞれは、更に複数の部材によって構成されていてよい。例えば、前側筐体１９は、レンズ５を保持する鏡筒と、少なくとも外周面部３ｃのレンズ５側部分を構成する部材とが互いに固定されて構成されていてもよい。この固定は、筐体３内の他の部材を介して間接的になされていてもよい。また、例えば、後側筐体２１は、後側筐体２１のコネクタ筐体部３ｆ以外の部分を構成する部材と、コネクタ筐体部３ｆを構成する部材とが互いに固定されて構成されていてもよい。
【００２８】
筐体３の材料は、例えば、基本的に絶縁性材料とされている。絶縁性材料は、例えば、樹脂である。なお、セラミック等の他の絶縁性材料が用いられてもよい。また、筐体３は、一部又は全部に導体（金属）が用いられていてもよい。例えば、筐体３は、樹脂に金属（シールドケース）が埋設されたものであってもよいし、基本的に樹脂からなり、内面の適宜な位置に導電性の塗料が塗布されたものであってもよい。
【００２９】
（レンズ）
レンズ５は、単一のレンズからなる単レンズであってもよいし、複数のレンズからなるレンズ群（光学系）であってもよい。レンズ５は、前面部３ａに形成された開口内に配置されて筐体３の外部に露出している。そして、レンズ５は、筐体３の外部からの光を集光して筐体３の内部（撮像素子９上）に像を結ぶ。なお、レンズ５が前面部３ａから露出しているという場合、レンズ５が前面部３ａ側から視認可能であることをいい、外気に触れていることは必ずしも必要ない。従って、例えば、レンズ５は、筐体３の一部を構成する透明カバーによって覆われていてもよい。なお、当該透明カバーをレンズ５の一部と捉えることも可能である。
【００３０】
（端子）
端子７は、例えば、ピン状の金属によって構成されている。各端子７は、例えば、後面部３ｂに形成された孔に挿通されており、はんだ等の接合材によって後面部３ｂに対して固定されている。また、複数の端子７は、例えば、フレキシブル基板１３に形成された孔に挿通されており、はんだ等の導電性の接合材によってフレキシブル基板１３の配線（導電パターン）に対して接合されている。
【００３１】
なお、端子７を後面部３ｂに接合する接合材と、端子７をフレキシブル基板１３に接合する接合材とは、互いに異なる材料であってもよいし、同一の材料であってもよい。後者の場合において、両者は、別個に供給及び硬化されてもよいし、同時に供給及び硬化されてもよい。
【００３２】
端子７の数及び配置は適宜に設定されてよい。図示の例では、６個の端子７が後面部３ｂの中央側に配置されている（そのうち半分が図示されている。）。そして、６個の端子７は、後面部３ｂの辺に沿って２列で配列されている。
【００３３】
複数の端子７及びコネクタ筐体部３ｆは、コネクタ１７を構成している。このコネクタ１７には、例えば、コネクタ筐体部３ｆ内に嵌合する不図示の相手側コネクタが接続される。相手側コネクタは、ピン状の端子７が嵌合する穴部を有しており、当該穴部の内面には端子７と当接する端子が設けられている。
【００３４】
なお、雄型及び雌型は、上記と逆であってもよい。すなわち、端子７は、ピンが挿通される穴の内面に形成されるものであってもよい。この場合、端子７は、例えば、ピンの外周面に当接する適宜な形状の金属部材であってよい。この金属部材の形状は、例えば、平板状であってもよいし、ピンが挿通される筒状であってもよいし、板ばね部を含む形状であってもよい。
【００３５】
（アセンブリ）
アセンブリ１１は、例えば、既述の撮像素子９と、撮像素子９が実装されているリジッド基板２３とを有している。
【００３６】
撮像素子９は、例えば、ＣＭＯＳ（Complementary Metal-Oxide-Semiconductor）又はＣＣＤ（Charge-Coupled Device）等の固体撮像素子によって構成されている。特に図示しないが、撮像素子９は、レンズ５側の受光面に縦横に配列された複数の画素を有している。各画素は、光電変換素子を含んで構成されており、各画素に入射した光をその光量に応じた信号強度の電気信号に変換して出力する。これにより、レンズ５によって撮像素子９の受光面に結ばれた像の画像データ（生データ）が生成される。
【００３７】
また、特に図示しないが、撮像素子９は、例えば、ベアチップと、ベアチップを封止しているパッケージと、パッケージの外側かつ下方へ延び出ている複数のリードとを有している。そして、はんだ等によってリードがリジッド基板２３上のパッド状のランドに接合されることによって、撮像素子９は、リジッド基板２３に表面実装されている。なお、撮像素子９は、上記以外の実装方式のものであってもよいし、ベアチップであってもよい。また、撮像素子９は、例えば、カラーフィルタ及び／又はレンズアレイ等を有していてよい。
【００３８】
リジッド基板２３は、例えば、撮像素子９の筐体３（レンズ５）に対する固定（位置決め）、及び不図示の電子部品の実装等に寄与している。撮像素子９は、例えば、リジッド基板２３を介して、リジッド基板２３に接続された他の電子部品及び／又はフレキシブル基板１３に電気的に接続されている。
【００３９】
リジッド基板２３は、例えば、リジッド式のプリント配線板である。リジッド基板２３は、例えば、板状の絶縁体の両面に導体層が形成された両面板、又は板状の絶縁体に３層以上の導体層が形成された多層板である。なお、リジッド基板２３は、板状の絶縁体の片面のみに導体層が形成された片面板とすることも可能である。
【００４０】
リジッド基板２３の平面形状、絶縁体の材料、導体層の材料、導体層が含む導体パターン等は適宜なものとされてよい。例えば、絶縁体は、ガラス布等の基材に樹脂を含浸させたものであってもよいし、セラミックであってもよい。導体層は、電子部品を実装するためのランド、及びランド同士を接続する配線の他、インダクタ又はキャパシタ等の部品を構成していてもよい。リジッド基板２３は、導体層の不要な短絡を低減するために導体層を覆う絶縁膜（ソルダーレジスト）を有していてよい。
【００４１】
リジッド基板２３（撮像素子９）は、レンズ５に対して対向配置されている。リジッド基板２３は、例えば、レンズ５の後側焦点に撮像素子９の受光面が概ね位置するように配置されている。このようにリジッド基板２３を筐体３に対して配置したとき、筐体３のリジッド基板２３よりも端子７側の空間の大きさは、適宜なものとされてよい。例えば、リジッド基板２３から後面部３ｂの内面までの距離（端子７側の空間の高さ）は、レンズ５から撮像素子９までの距離よりも長くされてよい。
【００４２】
リジッド基板２３の筐体３に対する固定は適宜になされてよい。例えば、特に図示しないが、筐体３は、前面部３ａから端子７側へ延びる複数のロッドを有している。一方、リジッド基板２３は、ロッドが挿通される複数の孔を有している。そして、リジッド基板２３は、撮像素子９等の電子部品が実装された後、複数の孔にロッドが挿通され、はんだ等の接合材によってロッドに接合されることによって、筐体３に対して固定される。この他、例えば、レンズ５を保持している鏡筒を含む部材の端子７側の端面にリジッド基板２３のレンズ５側の面を接合してもよい。
【００４３】
上記から理解されるように、筐体３のうちレンズ５を保持している部材に対するリジッド基板２３の固定は、接合材等の破壊無しではレンズ５と撮像素子９との位置関係を変えることが不可能なものとされてよい。なお、この固定に際しては、レンズ５を介して撮像素子９によって撮像した画像を確認しつつ、レンズ５と撮像素子９との位置決めが行われてもよい。
【００４４】
リジッド基板２３には、撮像素子９以外に種々の電子部品が実装されてよい。例えば、リジッド基板２３には、ＩＣ（Integrated Circuit）、ダイオード、トランジスタ、抵抗体、インダクタ及び／又はキャパシタが実装されていてよい。電子部品は、能動素子であってもよいし、受動素子であってもよい。ＩＣは、例えば、撮像素子９からの生データを処理するＩＳＰ（Image Signal Processor）であってもよい。
【００４５】
また、特に図示しないが、リジッド基板２３には、フレキシブル基板１３をリジッド基板２３に接続するためのコネクタが実装されていてもよい。当該コネクタは、例えば、リジッド基板２３の端子７側の面に実装されている。コネクタの構成は、適宜なものとされてよい。例えば、コネクタは、フレキシブル基板１３に実装されているコネクタと、雄型及び雌型のコネクタの組み合わせを構成するものであってもよい。また、例えば、コネクタは、スリットの内壁面に複数の端子を有しており、フレキシブル基板１３の一部がスリットに挿入されるものであってもよい。なお、リジッド基板２３とフレキシブル基板１３との接続は、コネクタを用いずにはんだ等によって行うことも可能であるし、リジッド基板２３のレンズ５側において行うことも可能である。
【００４６】
（フレキシブル基板）
フレキシブル基板１３は、リジッド基板２３（撮像素子９）と複数の端子７との接続に寄与している。また、フレキシブル基板１３は、電子部品１５を実装する領域を提供しており、ひいては、電子部品１５と、他の部品（２３、９及び／又は７等）との接続に寄与している。
【００４７】
フレキシブル基板１３は、例えば、可撓性を有しているプリント配線板（すなわちＦＰＣ： Flexible Printed Circuits）である。フレキシブル基板１３は、絶縁性フィルムの両面に導体層を有しているものであってもよいし、絶縁性フィルムの片面のみに導体層を有しているものであってもよいし、これらを積層した、３層以上の導体層を有するものであってもよい。フレキシブル基板１３は、導体層の不要な短絡を低減するために導体層を覆う絶縁膜（ソルダーレジスト）を有していてよい。フレキシブル基板１３の導体層によってインダクタ又はキャパシタ等の部品が構成されていてもよい。フレキシブル基板１３は、その全体に亘って柔軟性が同等に設定されているものであってもよいし、曲げられることが予定されている部分において柔軟性が相対的に高くされているものであってもよい。
【００４８】
フレキシブル基板１３は、例えば、複数の端子７に接続されている端子接続部１３ａと、端子接続部１３ａからアセンブリ１１まで延びている中継部１３ｂとを有している。
【００４９】
端子接続部１３ａは、例えば、筐体３の後面部３ｂの内面に対向している。従って、別の観点では、フレキシブル基板１３は、後面部３ｂの内面に対向している後面対向部１３ｃを有している。なお、対向という場合、向かい合う２面は平行である必要は無く、例えば、面が互いに傾斜していたり、少なくとも一方の面が曲がっていたりしてもよい。また、本実施形態では、端子接続部１３ａと後面対向部１３ｃとは同じものと捉えたり、一方に他方が含まれていると捉えたりしてよい。本実施形態の説明では、両者のうち主として端子接続部１３ａの語を用いるが、当該語は後面対向部１３ｃに置き換えられてよい。
【００５０】
端子接続部１３ａは、複数の端子７の配置範囲に広がる大きさを有しており、既述のように複数の端子７が挿通されている。端子接続部１３ａの、平面形状、複数の端子７の配置範囲に対する大きさ、及び後面部３ｂの内面に対する大きさは適宜に設定されてよい。図示の例では、端子接続部１３ａは、後面部３ｂの内面よりも小さい概略矩形状とされている。別の観点では、端子接続部１３ａは、後面部３ｂの外縁に沿って延びる外縁を有している形状（例えば概略相似形）とされている。なお、端子接続部１３ａは、後面部３ｂの内面と同等の大きさを有していてもよい。
【００５１】
端子接続部１３ａは、後面部３ｂの内面に対して接着剤等（接着層）によって接着されていてもよいし、接着されていなくてもよい。ただし、上述のように、端子７が端子接続部１３ａ及び後面部３ｂに対して接合されている場合、端子接続部１３ａは、少なくとも端子７の位置において、直接的に、又は端子７を介して間接的に、後面部３ｂに対して固定されている。
【００５２】
端子接続部１３ａは、直接的に、又は適宜な材料を介して間接的に、後面部３ｂの内面に重なっていてもよいし（直接的又は間接的に密着していてもよいし）、隙間を介して後面部３ｂの内面から離れていてもよい。上記の端子接続部１３ａと後面部３ｂとの間に介在する材料としては、例えば、接着剤又はグリースを挙げることができる。
【００５３】
端子接続部１３ａが後面部３ｂの内面に直接又は間接に密着している場合、両者の間に隙間（空気）がある場合に比較して、端子接続部１３ａから筐体３への放熱性が向上する。端子接続部１３ａが後面部３ｂの内面に密着する領域は、例えば、端子接続部１３ａの面積の８割以上又は全部である。後述のように、電子部品１５は端子接続部１３ａに実装されており、この密着する領域は、例えば、電子部品１５が実装される領域を含んでいる。
【００５４】
なお、接着剤を介在させずに、端子接続部１３ａの少なくとも一部を直接又は間接に後面部３ｂの内面に密着させる場合、端子接続部１３ａの後面部３ｂからの離間は適宜に抑制されてよい。例えば、端子７と端子接続部１３ａとの接合が上記の密着に寄与してよい。また、例えば、端子接続部１３ａを後面部３ｂに押し付ける不図示の部材が設けられてもよい。また、例えば、後述するように中継部１３ｂは折り曲げられており、平面状に戻ろうとする復元力を中継部１３ｂが生じる場合は、当該復元力が利用されてもよい。
【００５５】
中継部１３ｂは、端子接続部１３ａの外縁の一部から延び出ている。中継部１３ｂの端子接続部１３ａに対する接続位置、中継部１３ｂの形状及び大きさ等は適宜に設定されてよい。図示の例では、中継部１３ｂは、矩形状の端子接続部１３ａの１辺の中央側部分から、前記１辺の長さよりも短い幅で延び出ている。なお、中継部１３ｂは、前記１辺の長さと同等の幅を有していてもよい。
【００５６】
また、図示の例では、中継部１３ｂは、フレキシブル基板１３を平面状に展開したときに、概略、一定の幅で直線状に延びる長尺状に形成されている。そして、中継部１３ｂは、適宜な回数で折り返された状態で筐体３内に収容されている。図示の例では、中継部１３ｂは、２回折り返されている（概略Ｓ字状とされている。）。
【００５７】
なお、中継部１３ｂの折り返し回数は、１回でもよいし、３回以上であってもよい。また、中継部１３ｂが収容されている空間は、より具体的には、アセンブリ１１（リジッド基板２３）と後面部３ｂ（端子接続部１３ａ）との間の空間である。この空間は、リジッド基板２３の配置位置の説明で述べたように、比較的大きく確保されている。
【００５８】
中継部１３ｂのリジッド基板２３の側の端部は、既述のようにリジッド基板２３に接続されている。その接続方式も、既述のように種々のものとされてよい。なお、図示の例では、中継部１３ｂは、リジッド基板２３側の端部において幅が広くされている。これにより、例えば、中継部１３ｂの大部分（例えば長さの６割以上）を比較的細くしつつ、リジッド基板２３側においては、コネクタの実装等に必要な面積を確保することができる。もちろん、中継部１３ｂは、その全体に亘って一定の幅であっても構わない。
【００５９】
（電子部品）
電子部品１５は、例えば、ＩＣ、ダイオード、トランジスタ、抵抗体、インダクタ又はキャパシタである。上記の例示から理解されるように、電子部品１５は、能動素子であってもよいし、受動素子であってもよい。
【００６０】
電子部品１５は、例えば、フレキシブル基板１３のうち端子接続部１３ａに実装されている。より具体的には、電子部品１５は、端子接続部１３ａのうち、複数の端子７の配置範囲の外側の領域に実装されている。また、電子部品１５は、端子接続部１３ａの両面のうち、後面部３ｂとは反対側の面に実装されている。電子部品１５は、複数の端子７に対して、中継部１３ｂ側に位置していてもよいし、中継部１３ｂとは反対側に位置していてもよいし、中継部１３ｂへの方向の側方に位置していてもよい（図示の例）。
【００６１】
なお、フレキシブル基板１３が、端子接続部１３ａと、端子接続部１３ａの縁部の一部から延び出る中継部１３ｂと、端子接続部１３ａの縁部の他の一部から延び出る延長部１３ｄとを有しており、延長部１３ｄに電子部品１５が実装されていると捉えられてもよい。ただし、本実施形態では、基本的に、端子接続部１３ａに電子部品１５が実装されていると捉えて説明する。延長部１３ｄの形状から理解されるように、フレキシブル基板の一部が延び出る（又は延びる）というとき、必ずしも延び出る方向に長い形状である必要は無く、延び出る方向の長さよりも幅が大きくてもよい。
【００６２】
図示の例では、１つの電子部品１５が実装されている。ただし、電子部品１５の数は１つに限定されず、２以上の電子部品１５が端子接続部１３ａに実装されてよい。後述する複数の実施形態においても、基本的に、説明に必要な最小限の数で電子部品１５を示すが、示した数よりも多い（場合によっては少ない）適宜な数で電子部品１５が設けられてよい。
【００６３】
電子部品１５は、例えば、表面実装型のものであり、ここでは図示しないが、複数のパッド又は複数のリードが、フレキシブル基板１３の一方の主面に設けられたパッド状のランドに対してはんだ等の接合材によって接合されることによって、フレキシブル基板１３に対して実装されている。なお、電子部品１５は、リードをフレキシブル基板１３に挿入する挿入実装型とすることも可能である。
【００６４】
図示の例にようにフレキシブル基板１３の中継部１３ｂをＳ字型に折り曲げると、中継部１３ｂのリジッド基板２３に対向する面と、フレキシブル基板１３の端子接続部１３ａの筐体３の内部側を向く面（後面部３ｂとは反対側の面）とは、フレキシブル基板１３の同一の面になる。従って、フレキシブル基板１３に表面実装された不図示のコネクタによってフレキシブル基板１３をリジッド基板２３に接続する場合、当該コネクタと電子部品１５とはフレキシブル基板１３の同一の主面に実装されてよく、ひいては、フレキシブル基板１３は片面基板とされてよい。
【００６５】
（機能ブロック）
図２は、カメラモジュール１の信号処理系の構成を示すブロック図である。
【００６６】
カメラモジュール１は、既述のように、レンズ５及び撮像素子９を有している。また、カメラモジュール１は、例えば、撮像素子９を駆動する駆動部３１と、撮像素子９が出力した信号を処理する第１処理部３３と、第１処理部３３が出力した信号を処理する第２処理部３５と、これらを統合的に制御する制御部３７と、各部（３１、３３、３５及び３７）に電力を供給する電源部３９とを有している。
【００６７】
駆動部３１は、例えば、初期化のためのパルス信号、及び撮像素子９における信号転送のための所定の周波数のパルス信号（駆動信号）を生成して撮像素子９に入力する。駆動信号が入力された撮像素子９は、撮像した画像に応じた信号（画像データの信号）を出力する。駆動部３１は、例えば、画像データの信号が継続して（繰り返して）出力されるように撮像素子９にパルス信号を出力する。これにより、撮像素子９からは、動画像のデータが得られる。
【００６８】
第１処理部３３及び第２処理部３５は、例えば、その全体として、撮像素子９からの信号に所定の処理を施し、処理後の信号を端子７へ出力する。これらの処理部が撮像素子９からの信号に対して行う処理は、例えば、増幅処理、Ａ／Ｄ変換処理、フィルタリング処理、ＡＥ（Automatic Exposure）処理、ＡＷＢ（Auto White Balance）処理、シリアル変換処理、ヘッダ等の適宜な情報を付加する処理、及び／又はＤ／Ａ変換処理である。なお、ヘッダは、例えば、複数フレームの画像の順番を特定する情報を含んでいる。
【００６９】
第１処理部３３及び第２処理部３５は、上記のような処理を適宜に分担して行う。例えば、第１処理部３３は、撮像素子９からの生データの信号に対して処理を行う。一方、第２処理部３５は、第１処理部３３によって処理された後の信号に対して処理を行い、その処理後の信号を端子７へ出力する。どの処理までを第１処理部３３で行うかは、適宜に設定されてよい。なお、第１処理部３３と第２処理部３５とで同一の処理を分担して行うことも可能である。
【００７０】
第２処理部３５から端子７へ出力される信号の形式は適宜なものとされてよい。例えば、当該信号は、ＬＶＤＳ（Low voltage differential signaling）の信号であってよい。この場合において、第２処理部３５は、例えば、出力すべき情報を含む信号をＬＶＤＳの信号に変換する電子部品を含んで構成されていてもよい。なお、第２処理部３５から端子７へ出力される信号は、ＬＶＤＳに限らず、例えば、シングルエンド信号であってもよい。
【００７１】
制御部３７は、例えば、端子７から入力される制御信号に応じて、駆動部３１、第１処理部３３及び第２処理部３５の駆動開始及び駆動停止を制御する。また、例えば、制御部３７は、これら各部（３１、３３及び３５）にクロックパルスを供給して、これらを同期させる処理を行う。なお、駆動部３１、第１処理部３３及び第２処理部３５及び制御部３７の役割分担は適宜に設定されてよい。
【００７２】
なお、各部（９、３１、３３、３５及び３７）への入力信号、及び各部からの出力信号の方式、信号強度の強さ（例えば電圧）及び／又は周波数等は、適宜に設定されてよい。例えば、上述した第２処理部３５から端子７へ出力される信号の周波数は、５００ＭＨｚ以上１０ＧＨｚ以下、又は１ＧＨｚ以上１０ＧＨｚ以下である。
【００７３】
電源部３９は、端子７から供給される電力を適宜な電圧、電流及び／又は周波数（交流の場合）の電力に変換して、各部（３１、３３、３５及び３７）に電力を供給する。端子７から電源部３９に供給される電力の電圧、電流及び／又は周波数は適宜なものであってよい。例えば、電源部３９に供給される電流は、１００ｍＡ以上１Ａ以下、又は４００ｍＡ以上１Ａ以下である。
【００７４】
（機能部のハードウェア構成）
図２に示した、駆動部３１、第１処理部３３、第２処理部３５、制御部３７及び電源部３９のハードウェハ構成は、適宜なものとされてよい。例えば、これらの機能部（３１、３３、３５、３７及び３９）は、ＩＣによって構成されている。これらの機能部のうち、２つ以上の機能部が１つのＩＣによって構成されていてもよいし、逆に、１つの機能部が２つ以上のＩＣによって構成されていてもよい。
【００７５】
また、これらの機能部（３１、３３、３５、３７及び３９）を構成するＩＣ（電子部品）は、リジッド基板２３に実装されていてもよいし（アセンブリ１１に含まれていてもよいし）、フレキシブル基板１３に実装されていてもよい。図２の例では、駆動部３１、第１処理部３３及び制御部３７を構成する１以上の電子部品は、リジッド基板２３に実装されている。また、第２処理部３５及び電源部３９を構成する１以上の電子部品は、フレキシブル基板１３に実装されている。
【００７６】
なお、図２は一例に過ぎない。従って、例えば、上記の複数の機能部（３１、３３、３５、３７及び３９）のうち、第２処理部３５を構成する１以上の電子部品のみがフレキシブル基板１３に実装されたり、電源部３９を構成する１以上の電子部品のみがフレキシブル基板１３に実装されたり、第２処理部３５及び電源部３９に加えて、駆動部３１及び／又は制御部３７を構成する１以上の電子部品がフレキシブル基板１３に実装されたりしてもよい。また、電源部３９が複数の電子部品からなり、その一部がフレキシブル基板１３に、残りの一部がリジッド基板２３に実装されてもよい。
【００７７】
上記のようにフレキシブル基板１３に実装される電子部品は、図１を参照して説明した電子部品１５である。従って、上記の説明から理解されるように、電子部品１５は、例えば、電源部３９を構成する電源ＩＣであってよい。また、例えば、電子部品１５は、第２処理部３５の少なくとも一部を構成するものである場合において、ＬＶＤＳ式の信号を生成する部品であってよい。これまでの説明から理解されるように、１以上の電子部品１５が図２の構成を実現するための役割分担は適宜に設定されてよい。
【００７８】
図２から理解されるように、端子７とアセンブリ１１とは、電子部品１５を介して間接的に電気的な接続がなされてよい。すなわち、本実施形態では、フレキシブル基板１３は、端子７とアセンブリ１１とを直接に電気的に接続していなくてもよい。ただし、本開示の説明では、便宜上、電子部品１５を介した間接的な電気的な接続も含めて、フレキシブル基板１３が端子７とアセンブリ１１とを接続しているということがある。
【００７９】
フレキシブル基板１３の配線パターンは、例えば、上述した信号又は電源電流の流れが実現され、かつその経路が簡素になるように設計される。従って、特に図示しないが、例えば、端子７と電子部品１５との間の配線パターンは端子接続部１３ａに位置する。端子７又は電子部品１５とアセンブリ１１とを接続する配線パターンは、端子接続部１３ａと中継部１３ｂとを順に延びていく。
【００８０】
以上のとおり、本実施形態では、カメラモジュール１は、筐体３と、レンズ５と、アセンブリ１１と、端子７と、電子部品１５とを有している。筐体３は、前面部３ａ、その反対側の後面部３ｂ、及び前面部３ａと後面部３ｂとをつなぐ側面部３ｄを有している。レンズ５は、前面部３ａから露出している。アセンブリ１１は、撮像素子９を含んでおり、レンズ５に対して後面部３ｂ側に位置している。端子７は、後面部３ｂに位置している、外部との接続用のものである。フレキシブル基板１３は、アセンブリ１１から端子７へ延びている部分（中継部１３ｂ及び端子接続部１３ａ）を含んでいる。電子部品１５は、フレキシブル基板１３に実装されている。
【００８１】
また、別の観点では、カメラモジュール１は、筐体３と、レンズ５と、アセンブリ１１と、端子７と、接続部材（本実施形態ではフレキシブル基板１３）と、電子部品１５とを有している。筐体３は、前面部３ａ、その反対側の後面部３ｂ、及び前面部３ａと後面部３ｂとをつなぐ側面部３ｄを有している。レンズ５は、前面部３ａから露出している。アセンブリ１１は、撮像素子９を含んでおり、レンズ５に対して後面部３ｂ側に位置している。端子７は、後面部３ｂに位置している、外部との接続用のものである。接続部材（１３）は、アセンブリ１１から端子７へ延びている可撓性の部材である。電子部品１５は、アセンブリ１１及び端子７に電気的に接続されているとともに、筐体３内で、アセンブリ１１から後面部３ｂ側に離れて位置している。
【００８２】
従って、アセンブリ１１のみに電子部品が実装されているカメラモジュールに比較して、筐体３内の複数の電子部品が、フレキシブル基板１３に、及び／又はアセンブリ１１よりも端子７側に、分散して実装されやすい。その結果、例えば、複数の電子部品の生じた熱（すなわち熱ノイズ）がアセンブリ１１に集中するおそれが低減される。ひいては、熱がアセンブリ１１の撮像素子９に伝わるおそれが低減される。これにより、例えば、撮像素子９における暗電流の増加が抑制される。暗電流の増加の抑制により、画像の一部又は全部において、実際の受光量に比較して輝度が高くなるおそれが低減される。すなわち、画質が向上する。また、アセンブリ１１と端子７とを電気的に接続するフレキシブル基板１３が電子部品１５の実装に兼用されることにより、例えば、部品点数の増加のおそれが低減される。
【００８３】
また、本実施形態では、フレキシブル基板１３は、後面部３ｂの内面に対向している後面対向部１３ｃを有している。そして、電子部品１５は、後面対向部１３ｃに実装されている。
【００８４】
従って、電子部品１５は、フレキシブル基板１３のうち、アセンブリ１１から最も端子７側に離れている領域に実装されていることになる。その結果、例えば、電子部品１５の熱が撮像素子９に伝わるおそれが低減される効果が向上する。また、後面対向部１３ｃは、後面部３ｂへ熱を伝えやすく、ひいては、筐体３の外部へ放熱しやすい。従って、この観点においても、電子部品１５の熱が撮像素子９に伝わるおそれが低減される効果が向上する。
【００８５】
また、本実施形態では、電子部品１５は、撮像素子９に電力を供給する電源部３９、及び撮像素子９からの信号を処理する第２処理部３５の少なくとも一方を構成してよい。
【００８６】
この場合、電子部品の分散による効果が一層向上する。具体的には、例えば、以下のとおりである。
【００８７】
電源部３９は、供給された電力を適宜な電圧及び／又は電流の電力に変換して各部へ分配するから、相対的に大きな電流が電源部３９に流れ込み、相対的に小さな電流が電源部３９から各部へ流れる。従って、電源部３９がアセンブリ１１に設けられている場合は、相対的に大きな電流が端子７からアセンブリ１１まで流れる。一方、電源部３９がフレキシブル基板１３に設けられている場合は、端子７からフレキシブル基板１３の途中まで相対的に大きな電流が流れ、前記途中からアセンブリ１１までは相対的に小さな電流が流れる。すなわち、相対的に大きな電流が流れる経路が短くなる。その結果、電力の供給によって生じる熱量が低減され、ひいては、撮像素子９に伝わる熱量が低減される。従って、発熱源としての電源部３９が撮像素子９から離れることによって撮像素子９へ伝わる熱量を低減するだけでなく、フレキシブル基板１３における熱量低減によっても撮像素子９に伝わる熱量が低減されることになる。また、例えば、電流がフレキシブル基板１３の許容電流を下回りやすくなり、設計の自由度が向上する。
【００８８】
近年、車載カメラ等のカメラモジュールには、高機能化が要求されており、カメラモジュールに供給される電力は増加する傾向にある。例えば、従来は、１００ｍＡ程度の電流が供給されていたカメラモジュールと同一の用途のカメラモジュールにおいて、５００ｍＡ程度の電流が供給されることが予想される。このような場合において、上記の熱量低減の効果及び設計の自由度の向上効果は有効である。また、電源部３９がフレキシブル基板１３のうち端子接続部１３ａに設けられている場合においては、端子７から電源部３９までの経路を極力短くすることができるから、上記効果が向上する。
【００８９】
また、電源部３９がフレキシブル基板１３に設けられると、アセンブリ１１に含まれる、撮像素子９及びその直近の機能部（例えば第１処理部３３）と、電源部３９とが離されることになる。その結果、例えば、画像の情報を含む信号等の高周波信号に起因する輻射ノイズ及び伝導ノイズが電源部３９からの電流に影響を及ぼすおそれが低減される。
【００９０】
また、第２処理部３５がフレキシブル基板１３に設けられていると、第２処理部３５から端子７までの信号の伝送経路を短くすることができる。その結果、例えば、第２処理部３５から出力される信号と、他の信号又は電流との相互影響を低減することができる。その結果、例えば、画質を向上させやすい。また、例えば、上記の伝送経路が短くなることによって、上記の伝送経路がインピーダンス整合に及ぼす影響が低減される。その結果、インピーダンス整合が容易化される。当該効果は、第２処理部３５がＬＶＤＳの信号等の高周波化されやすい伝送用の信号を生成して出力するときに有効である。
【００９１】
＜第２実施形態＞
図３は、第２実施形態に係るカメラモジュール２０１を破断して示す模式的な斜視図である。
【００９２】
カメラモジュール２０１は、主として、フレキシブル基板の形状及び電子部品１５の実装位置が第１実施形態のカメラモジュール１と相違する。具体的には、以下のとおりである。
【００９３】
カメラモジュール２０１のフレキシブル基板２１３は、第１実施形態のフレキシブル基板１３と同様に、端子接続部２１３ａ及び中継部２１３ｂを有している。さらに、フレキシブル基板２１３は、端子接続部２１３ａから延び出ている延長部２１３ｄを有している。なお、第１実施形態のフレキシブル基板１３も延長部１３ｄを有していると捉えられてよいことは既に述べたとおりである。
【００９４】
本実施形態の延長部２１３ｄは、端子接続部２１３ａから延び出て側面部３ｄに到達する長さを有している。換言すれば、延長部２１３ｄは、側面部３ｄの内面に重複可能な重複領域２１３ｄａを有している。
【００９５】
また、延長部２１３ｄは、例えば、概略、端子接続部２１３ａから、後面部３ｂの内面に沿って延び、その後、アセンブリ１１側へ曲がり、側面部３ｄの内面に沿って延びている。従って、別の観点では、延長部２１３ｄは、その表面を曲げる方向に曲がる曲げ部２１３ｅを有しており、また、側面部３ｄの内面に対向する側面対向部２１３ｆを有している。なお、延長部２１３ｄのうち後面部３ｂに対向している部分は、端子接続部２１３ａと共に又は単独で、フレキシブル基板２１３のうち後面部３ｂの内面に対向する後面対向部２１３ｃを構成している。
【００９６】
特に図示しないが、延長部２１３ｄは、その全体が筐体３の内部側を凹として緩やかに湾曲しているなど、図示の例とは異なる態様で筐体３内に収容されていてもよい。以下の説明では、主として、図示の例のように、延長部２１３ｄが概ね筐体３の内面に沿っている場合を例に取って説明する（後述する第３実施形態も同様。）。従って、以下の説明では、重複領域２１３ｄａと側面対向部２１３ｆとは概ね同義である。
【００９７】
延長部２１３ｄのうち後面部３ｂに対向している部分の後面部３ｂの内面に対する当接の有無等に係る態様は、端子接続部１３ａと同様でよく、第１実施形態において説明したとおりである。また、側面対向部２１３ｆの側面部３ｄの内面に対する当接の有無等に係る態様は、後面部３ｂに対向している部分の後面部３ｂの内面に対する当接の有無等に係る態様と同様とされてよい。
【００９８】
具体的には、例えば、側面対向部２１３ｆは、側面部３ｄの内面に対して接着剤等（接着層）によって接着されていてもよいし、接着されていなくてもよい。側面対向部２１３ｆは、直接に又は適宜な材料（例えば接着剤又はグリース）を介して間接に側面部３ｄの内面に密着していてもよいし、隙間を介して側面部３ｄの内面から離れていてもよい。密着する領域は、例えば、重複領域２１３ｄａの面積の８割以上又は概ね全部である。
【００９９】
延長部２１３ｄが筐体３の内面に接着されていない（例えば重複領域２１３ｄａが側面部３ｄの内面に接着されていない）場合において、延長部２１３ｄは、筐体３の内側への大きな変位及び／又は微小な力による移動が規制されていてもよいし、されていなくてもよい。なお、規制されている場合、例えば、意図しない短絡のおそれが低減される。
【０１００】
上記のような移動を規制する方法としては、例えば、平面状に戻ろうとする復元力をフレキシブル基板２１３が生じる場合、この復元力を利用する方法が挙げられる。端子接続部２１３ａは、少なくとも端子７の位置で筐体３に対して固定されているから、復元力は、重複領域２１３ｄａを側面部３ｄに押し付ける力として作用する。また、例えば、重複領域２１３ｄａを側面部３ｄに押し付ける不図示の部材が設けられてもよい。なお、これらの復元力及び／又は部材は、延長部２１３ｄの少なくとも一部を筐体３の内面に直接又は間接に密着させる（例えば重複領域２１３ｄａの少なくとも一部を側面部３ｄの内面に密着させる）ことに寄与してもよい。
【０１０１】
延長部２１３ｄ（重複領域２１３ｄａ）の形状及び大きさは適宜に設定されてよい。図示の例では、延長部２１３ｄは、概略、一定の幅で、端子接続部２１３ａの１辺及び側面部３ｄに直交する方向に直線状に延びる矩形状とされている。また、延長部２１３ｄの幅は、端子接続部２１３ａの幅（延長部２１３ｄが接続されている１辺の長さ）よりも狭くされている。別の観点では、延長部２１３ｄの幅は、側面部３ｄの内面の幅（光軸方向に見た１辺の長さ）よりも小さくされている。もちろん、延長部２１３ｄは、矩形以外の形状であってもよいし、延長部２１３ｄの幅は、端子接続部２１３ａの幅と同等以上であってもよいし、側面部３ｄの内面の幅と略同等（例えば８割以上）であってもよい。
【０１０２】
また、図示の例では、重複領域２１３ｄａ（その先端）は、側面部３ｄの内面のうち、アセンブリ１１から比較的離れて位置している。例えば、重複領域２１３ｄａは、アセンブリ１１と後面部３ｂの内面との中間位置よりも後面部３ｂ側に収まっている。ただし、重複領域２１３ｄａは、上記中間位置よりもアセンブリ１１側へ広がっていてもよい。上述のように、重複領域２１３ｄａの幅が側面部３ｄの幅と同等とされてよいことと合わせて、重複領域２１３ｄａは、側面部３ｄの内面のうちアセンブリ１１よりも後面部３ｂ側の大部分（例えば８割以上）に相当する面積を有していてもよい。
【０１０３】
曲げ部２１３ｅは、例えば、概ね９０°曲がっている。その曲率（別の観点では曲げ部２１３ｅの後面部３ｂから側面部３ｄへの長さ）は適宜に設定されてよい。図示の例では、後面部３ｂの平面状の内面と側面部３ｄの平面状の内面とが交差して角部が構成されているが、当該角部は、平面又は曲面で面取りされていてもよい。この場合、曲げ部２１３ｅが筐体３の内面に対して当接しやすくなる。また、図示の例では、延長部２１３ｄは、後面部３ｂの内面に対向する部分及び側面部３ｄの内面に対向する部分を有し、曲げ部２１３ｅは、その間の部分となっているが、延長部２１３ｄの全体又は大部分が湾曲して曲げ部２１３ｅを構成していても構わない。
【０１０４】
曲げ部２１３ｅは、重複領域２１３ｄａ等と同様に、筐体３の内面に接着されていてもよいし、接着されていなくてもよく、また、直接に又は適宜な材料（例えば接着剤又はグリース）を介して間接に筐体３の内面に密着していてもよいし、密着していなくてもよい。また、曲げ部２１３ｅは、フレキシブル基板１３の復元力又は適宜な部材によって、筐体３の内側への移動が規制されてよい。
【０１０５】
電子部品１５は、重複領域２１３ｄａに実装されている。なお、上記のように、重複領域２１３ｄａの少なくとも一部が側面部３ｄの内面に密着している場合、その密着している領域は、電子部品１５が実装されている領域を含んでいてよい。また、別の観点では、電子部品１５は、曲げ部２１３ｅに対して、延長部２１３ｄの先端側（端子接続部２１３ａ側とは反対側）に位置している。
【０１０６】
なお、フレキシブル基板の形状及び電子部品１５の実装位置が第１実施形態と相違することから、当然に、フレキシブル基板の配線パターンも第１実施形態とは相違する。ただし、図２の信号処理系の構成が実現され、かつ経路が簡素になるように配線パターンが設計されてよいことは同様である。例えば、端子７と電子部品１５とを接続する配線パターンは、端子接続部２１３ａと延長部２１３ｄとを順に延びる。電子部品１５とアセンブリ１１とを接続する配線パターンは、延長部２１３ｄ、端子接続部２１３ａ及び中継部２１３ｂを順に延びる。
【０１０７】
以上のとおり、本実施形態においても、電子部品１５は、アセンブリ１１から端子７へ延びている部分（中継部２１３ｂ及び端子接続部２１３ａ）を含んでいるフレキシブル基板２１３に実装されている。別の観点では、電子部品１５は、筐体３内で、アセンブリ１１から後面部３ｂ側に離れて位置している。従って、第１実施形態と同様の効果が奏される。例えば、電子部品の分散によって、撮像素子９における熱ノイズが低減され、画質が向上する。
【０１０８】
また、本実施形態では、フレキシブル基板２１３は、端子接続部２１３ａと、中継部２１３ｂと、延長部２１３ｄとを有している。端子接続部２１３ａは、後面部３ｂの内面に対向しているとともに端子７と接続されている。中継部２１３ｂは、端子接続部２１３ａの外縁の一部からアセンブリ１１まで延びている。延長部２１３ｄは、端子接続部２１３ａの外縁の他の一部から延び出ている。そして、電子部品１５は、延長部２１３ｄに実装されている。
【０１０９】
従って、例えば、アセンブリ１１及び端子７の双方から離れた位置に電子部品１５を実装することができる。その結果、例えば、熱源を更に分散させることができる。また、例えば、フレキシブル基板２１３に延長部２１３ｄが設けられることから、電子部品１５を実装可能な面積が増加する。従って、例えば、フレキシブル基板２１３に実装する電子部品１５の数を増加させることが容易である。その結果、カメラモジュール２０１の多機能化の要請に応えることも容易化される。
【０１１０】
また、本実施形態では、延長部２１３ｄは、側面部３ｄの内面に重複可能な重複領域２１３ｄａを有している。電子部品１５は、重複領域２１３ｄａに実装されている。別の観点では、フレキシブル基板２１３は、側面部３ｄの内面に対向している側面対向部２１３ｆを有している。電子部品１５は、側面対向部２１３ｆに実装されている。
【０１１１】
従って、例えば、第１実施形態に比較して、電子部品を後面部３ｂの内面だけでなく、側面部３ｄの内面にも分散することができる。その結果、例えば、後面部３ｂからの放熱だけでなく、側面部３ｄからの放熱も容易化される。ひいては、熱ノイズが低減される。また、電子部品１５を実装可能な領域が側面部３ｄの内面にも広がることになるから、カメラモジュール２０１に対する高機能化の要請にも応えやすくなる。また、例えば、後面対向部２１３ｃに電源部３９を構成する電子部品１５を実装し、重複領域２１３ｄａに第２処理部３５を構成する電子部品１５を実装した場合、第２処理部３５から出力される高周波の信号（例えばＬＶＤＳの信号）を電源電流から離しやすい。その結果、例えば、両者の相互影響が低減される。また、例えば、後面部３ｂの内面に電子部品１５を実装可能なスペースを確保できない場合にも、複数の電子部品を分散させることができる。
【０１１２】
また、本実施形態では、延長部２１３ｄ（延在部）は、電子部品１５よりも根本側（端子接続部２１３ａ側）に、フレキシブル基板２１３の表面を曲げる方向に曲がっている曲げ部２１３ｅを有している。
【０１１３】
従って、例えば、外部から端子７へ伝えられた振動が電子部品１５に伝わるおそれが低減される。具体的には、例えば、端子接続部２１３ａの振動が曲げ部２１３ｅによって吸収される。また、例えば、端子７及び電子部品１５が収容される筐体３内の空間は小さいままで、端子７と電子部品１５との間におけるフレキシブル基板２１３の距離が確保されることになるから、この観点においても、振動が伝わりにくくなる。振動が電子部品１５まで伝わるおそれが低減されることにより、例えば、電子部品１５の剥離のおそれが低減される。このような効果は、例えば、カメラモジュール２０１が車載用のものである場合に有効である。
【０１１４】
＜第３実施形態＞
図４（ａ）は、第３実施形態に係るカメラモジュール３０１が有するフレキシブル基板３１３の一部を示す展開図である。図４（ｂ）は、カメラモジュール３０１の一部を示す断面図であり、図４（ａ）のIVｂ−IVｂ線に対応している。
【０１１５】
カメラモジュール３０１は、主として、フレキシブル基板の形状が第２実施形態のカメラモジュール１と相違する。具体的には、以下のとおりである。
【０１１６】
フレキシブル基板３１３は、第１及び第２実施形態と同様に、端子接続部３１３ａ及び中継部３１３ｂを有している。また、フレキシブル基板３１３は、第２実施形態と同様に、重複領域３１３ｄａ（側面対向部３１３ｆ）を含む延長部３１３ｄを有している。ただし、延長部３１３ｄは、第２実施形態とは異なり、複数設けられている。
【０１１７】
複数の延長部３１３ｄは、端子接続部３１３ａから互いに異なる複数の側面部３ｄに向かって延びており、複数の重複領域３１３ｄａは、互いに異なる側面部３ｄに重複可能である。より具体的には、例えば、４つの側面部３ｄのうち、３つの側面部３ｄに対して延長部３１３ｄが設けられている。残りの１つの側面部３ｄは、中継部３１３ｂが延び出る側の側面部３ｄとなっている。従って、中継部３１３ｂ及び延長部３１３ｄの数の合計と、側面部３ｄの数とは同一である。
【０１１８】
なお、複数の延長部３１３ｄの数は、側面部３ｄの数よりも１つ少ない数に限定されない。例えば、複数の側面部３ｄのいずれかに対して、中継部３１３ｂ及び延長部３１３ｄのいずれも延びておらず、複数の延長部３１３ｄの数は、側面部３ｄの数よりも２以上少なくてもよい。また、筐体３の端子７側の部分の形状が四角柱以外の角柱である場合も同様に、複数の延長部３１３ｄの数は、側面部３ｄの数よりも１つ少ない数であってもよいし、これとは異なる数（例えば２以上少ない数）であってもよい。また、例えば、１つの延長部３１３ｄが、光軸方向に見て鈍角で交差する２辺（２つの側面部３ｄ）に亘って対向していてもよい。
【０１１９】
各延長部３１３ｄ自体の形状及び配置等、及び各延長部３１３ｄにおける電子部品１５の配置位置は、第２実施形態の延長部２１３ｄと同様とされてよい。図３と図４（ａ）とでは延長部の幅が異なるが、当該幅が適宜に設定されてよいことは、第２実施形態の説明で述べたとおりである。また、図２の信号処理系の構成を実現するための複数の電子部品１５の役割分担が適宜に設定されてよいことは第１実施形態の説明で述べたが、複数の延長部３１３ｄに実装された複数の電子部品１５についても同様である。
【０１２０】
以上のとおり、本実施形態では、筐体３は、前面部３ａ及び後面部３ｂの外縁に沿って複数の前記側面部３ｄを有している。フレキシブル基板３１３は、端子接続部３１３ａから互いに異なる側面部３ｄに向かって延びる複数の延長部３１３ｄを有している。複数の延長部３１３ｄそれぞれの重複領域３１３ｄａには、複数の電子部品１５のいずれかが実装されている。
【０１２１】
従って、例えば、第２実施形態で述べた効果が向上する。具体的には、例えば、電子部品が後面部３ｂの内面だけでなく、側面部３ｄの内面にも分散され、側面部３ｄから電子部品１５の熱が放熱される効果が向上する。また、例えば、平面状に戻ろうとする復元力をフレキシブル基板３１３が生じる場合、複数の延長部３１３ｄは、互いに異なる方向の側面部３ｄに当接して復元力に対抗する力を受ける。その結果、例えば、端子接続部３１３ａを後面部３ｂに固定する前において、フレキシブル基板３１３は、端子接続部３１３ａを後面部３ｂに対向させた状態で、後側筐体２１内に位置保持されやすい。ひいては、フレキシブル基板３１３を後側筐体２１に対して固定する作業が容易化される。
【０１２２】
上記の効果は、中継部３１３ｂ及び延長部３１３ｄの数の合計と、側面部３ｄの数とが同一である場合に向上する。また、復元力による位置保持の効果は、少なくとも２つの延長部３１３ｄが互いに逆方向に延びている場合に向上する。
【０１２３】
＜第４実施形態＞
図５は、第４実施形態に係るカメラモジュール４０１を破断して示す模式的な斜視図である。
【０１２４】
カメラモジュール４０１は、主として、フレキシブル基板の形状が第１実施形態のカメラモジュール１と相違する。具体的には、以下のとおりである。
【０１２５】
カメラモジュール４０１のフレキシブル基板４１３は、第１実施形態のフレキシブル基板１３と同様に、端子接続部４１３ａ及び中継部４１３ｂを有している。さらに、フレキシブル基板４１３は、端子接続部４１３ａから延び出ている延長部４１３ｄを有している。
【０１２６】
本実施形態の延長部４１３ｄは、例えば、端子接続部４１３ａ側から順に、アセンブリ１１側へ曲げられ、その逆側へ曲げられ（概ね折り返され）、さらにその逆側へ曲げられている。すなわち、延長部４１３ｄは、フレキシブル基板４１３の表面を曲げる方向において交互に３回曲がっている曲げ部４１３ｅを有している。
【０１２７】
延長部４１３ｄの、曲げ部４１３ｅよりも先端側（端子接続部４１３ａとは反対側）の部分には、電子部品１５が実装されている。この曲げ部４１３ｅよりも先端側部分は、例えば、後面部３ｂの内面に対向している。この先端側部分は、端子接続部４１３ａと共に又は単独で、後面部３ｂの内面に対向する後面対向部４１３ｃを構成している。
【０１２８】
曲げ部４１３ｅは、例えば、筐体３（後面部３ｂ）に対して固定、接着又は密着されておらず、浮遊状態となっている。曲げ部４１３ｅよりも先端側の部分は、他の実施形態の後面対向部と同様に、適宜に接着及び／又は密着の有無及びその態様が設定されてよい。
【０１２９】
延長部４１３ｄの根本部分（曲げ部４１３ｅの一部又は全部）は、端子接続部４１３ａの矩形の１辺を切り欠いて構成されている。なお、このように矩形の１辺を切り欠いていても、延長部４１３ｄは、端子接続部４１３ａの外縁から延び出ていると捉えられてよい（矩形の１辺を切り欠いた形状を端子接続部４１３ａの形状と捉えてよい。）。
【０１３０】
曲げ部４１３ｅの曲率及び長さは適宜に設定されてよい。延長部４１３ｄ（曲げ部４１３ｅ）の幅は、図３と同様に、延長部４１３ｄが接続されている端子接続部４１３ａの１辺の長さよりも短くされている。ただし、延長部４１３ｄ（曲げ部４１３ｅ）は、図４（ａ）と同様に、端子接続部４１３ａの１辺の長さと同等の大きさの幅を有していてもよい。
【０１３１】
以上のとおり、本実施形態では、延長部４１３ｄ（延在部）は、電子部品１５よりも根本側に、フレキシブル基板４１３の表面を曲げる方向に曲がっている曲げ部４１３ｅを有している。曲げ部４１３ｅは、フレキシブル基板４１３の表面を曲げる方向において交互に２回以上曲がっている。
【０１３２】
従って、第２実施形態の説明で述べた曲げ部２１３ｅによる効果が向上する。例えば、端子７の振動が電子部品１５へ伝わるおそれが低減される効果が向上する。２回以上交互に曲がっている曲げ部４１３ｅは、単に曲がるだけでなく、伸縮するような動作も可能になり、この伸縮によって振動を吸収できる。従って、振動の低減効果が飛躍的に向上する。また、曲げ部４１３ｅは、２回以上曲がっていると、立体的に筐体３内に配置されることになるから、筐体３の内部空間を有効利用できたことになる。
【０１３３】
＜第５実施形態＞
図６は、第５実施形態に係るカメラモジュール５０１を破断して示す模式的な斜視図である。
【０１３４】
カメラモジュール５０１は、主として、フレキシブル基板の形状が第１実施形態のカメラモジュール１と相違する。具体的には、以下のとおりである。
【０１３５】
カメラモジュール５０１のフレキシブル基板５１３は、第１実施形態のフレキシブル基板１３と同様に、端子接続部５１３ａ及び中継部５１３ｂを有している。さらに、フレキシブル基板５１３は、中継部５１３ｂから端子接続部５１３ａに対して分岐するように延び出ている分岐部５１３ｇを有している。そして、その分岐部５１３ｇには、電子部品１５が実装されている。
【０１３６】
分岐部５１３ｇの位置、形状及び大きさは適宜に設定されてよい。図示の例では、分岐部５１３ｇは、中継部５１３ｂのうち端子接続部５１３ａ側の部分から中継部５１３ｂに概ね直交する方向（別の観点では一の側面部３ｄに向かう方向）に延び出ている。その後、分岐部５１３ｇは、概ね後面部３ｂの内面に沿って延びている。その先端は、側面部３ｄに到達していない。ただし、分岐部５１３ｇは、側面部３ｄに到達し、側面部３ｄに対向する部分（第２実施形態の重複領域２１３ｄａに相当する部分）を有していてもよい。分岐部５１３ｇの形状は、例えば、概ね矩形状とされている。
【０１３７】
上記のように、分岐部５１３ｇは、例えば、少なくとも一部（図示の例では少なくとも先端側の一部）が後面部３ｂの内面に対向している。電子部品１５は、例えば、この後面部３ｂの内面に対向している部分に実装されている。ただし、電子部品１５は、分岐部５１３ｇのうち、後面部３ｂに対向していない部分に実装されていてもよい。例えば、電子部品１５は、中継部５１３ｂに近く、浮遊状態の部分に実装されていたり、上記のように分岐部５１３ｇが側面部３ｄに対向する部分を有している場合に、当該部分に実装されていたりしてよい。
【０１３８】
分岐部５１３ｇのうち、後面部３ｂに対向している部分は、端子接続部５１３ａと共に又は単独で、フレキシブル基板５１３のうち後面部３ｂの内面に対向する後面対向部５１３ｃを構成している。分岐部５１３ｇの後面部３ｂに対向している部分は、他の実施形態の後面対向部と同様に、適宜に接着及び／又は密着の有無及びその態様が設定されてよい。分岐部５１３ｇが側面部３ｄの内面に対向する側面対向部を有している場合も同様である。
【０１３９】
分岐部５１３ｇは、第２実施形態の延長部２１３ｄ等とは異なり、端子接続部２１３ａからではなく、中継部５１３ｂから延び出ているから、当然に、フレキシブル基板の配線パターンも他の実施形態とは相違する。ただし、図２の信号処理系の構成が実現され、かつ経路が簡素になるように配線パターンが設計されてよいことは同様である。例えば、端子７と電子部品１５とを接続する配線パターンは、端子接続部５１３ａ、中継部５１３ｂの端子接続部２１３ａ側の一部、及び分岐部５１３ｇを順に延びる。電子部品１５とアセンブリ１１とを接続する配線パターンは、分岐部５１３ｇ及び中継部５１３ｂのアセンブリ１１側の一部を順に延びる。
【０１４０】
以上のとおり、本実施形態では、フレキシブル基板５１３は、中継部５１３ｂから端子接続部５１３ａに対して分岐するように延び出ている分岐部５１３ｇを有している。電子部品１５は、分岐部５１３ｇに実装されている。
【０１４１】
従って、例えば、端子接続部２１３ａから延び出ている延長部２１３ｄに電子部品１５が実装されている第２実施形態に比較して、中継部５１３ｂが端子接続部２１３ａから電子部品１５への振動を減衰する緩衝部として機能し得る。その結果、例えば、電子部品１５の剥離が抑制される。なお、第２実施形態では、例えば、延長部２１３ｄが中継部５１３ｂを経由せずに端子接続部２１３ａに接続されていることにより、端子７と電子部品１５との経路を短くして当該経路における発熱及び／又はノイズの重畳を抑制することができる。
【０１４２】
＜第６実施形態＞
図７は、第６実施形態に係るカメラモジュール６０１を破断して示す模式的な斜視図である。
【０１４３】
カメラモジュール６０１は、主として、フレキシブル基板の形状が第１実施形態のカメラモジュール１と相違する。具体的には、以下のとおりである。
【０１４４】
カメラモジュール６０１のフレキシブル基板６１３は、第５実施形態のフレキシブル基板５１３と同様に、端子接続部６１３ａ、中継部６１３ｂ及び分岐部６１３ｇを有している。ただし、分岐部６１３ｇは、曲げ部６１３ｅを有している。分岐部６１３ｇの曲げ部６１３ｅよりも先端側（中継部６１３ｂとは反対側）の部分には、電子部品１５が実装されている。
【０１４５】
曲げ部６１３ｅは、フレキシブル基板６１３を展開したときの平面視において曲がっている部分である。曲げ部６１３ｅを含む分岐部６１３ｇの全体形状及び各種の寸法及び筐体３内の位置は適宜に設定されてよい。
【０１４６】
例えば、分岐部６１３ｇは、第５実施形態の分岐部５１３ｇと同様に、中継部６１３ｂから中継部６１３ｂに概ね直交する方向（別の観点では一の側面部３ｄに向かう方向）に延び出ている。その後、分岐部６１３ｇは、光軸方向に見て、その延びた先の側面部３ｄの内面に到達する手前で概ね９０°の角度で屈曲し、当該側面部３ｄの内面に沿って延びている。すなわち、分岐部６１３ｇの形状は、概略、Ｌ字である。Ｌ字を構成する２つの直線部分は、例えば、矩形である。
【０１４７】
なお、分岐部６１３ｇ（延在部）は、光軸方向に見て、外周面部３ｃの内面の形状に沿って延びていると捉えることができる。また、別の観点では、光軸方向に見て、分岐部６１３ｇは、端子接続部６１３ａの外縁に沿って延びていると捉えることができる。曲げ部６１３ｅが曲がる角度（例えば、分岐部６１３ｇにおいて根本側部分の中心線と先端側部分の中心線とがなす角度）は、２つの側面部３ｄ（又は端子接続部６１３ａの２辺）がなす角度と同一の角度であると捉えることができる。
【０１４８】
ただし、分岐部６１３ｇは、光軸方向に見て、外周面部３ｃの内面及び／又は端子接続部６１３ａの外縁に沿っていなくてもよい。曲げ部６１３ｅの角度は、９０°以外の角度であってよい。曲げ部６１３ｅは、屈曲でなく、湾曲であってもよい。屈曲の場合、適宜に外縁の面取りがなされてよい。分岐部６１３ｇは、曲げ部６１３ｅの前後で、幅が同一であってもよいし、同一でなくてもよい。分岐部６１３ｇの長さは適宜に設定されてよい。
【０１４９】
分岐部６１３ｇは、例えば、第５実施形態の分岐部５１３ｇと同様に、少なくとも一部が後面部３ｂの内面に対向している。図示の例では、分岐部６１３ｇは、先端を含む大部分が後面部３ｂの内面に対向している。曲げ部６１３ｅよりも先端側の電子部品１５が実装されている部分も、例えば、後面部３ｂの内面に対向している。分岐部６１３ｇのうち、後面部３ｂに対向している部分は、端子接続部６１３ａと共に又は単独で、フレキシブル基板６１３のうち後面部３ｂの内面に対向する後面対向部６１３ｃを構成している。分岐部６１３ｇの後面部３ｂに対向している部分は、他の実施形態の後面対向部と同様に、適宜に接着及び／又は密着の有無及びその態様が設定されてよい。
【０１５０】
以上のとおり、本実施形態では、電子部品１５は、分岐部６１３ｇ（延在部）に実装されている。分岐部６１３ｇは、電子部品１５よりも根本側（中継部６１３ｂ側）に、フレキシブル基板６１３を展開したときの平面視において曲がっている曲げ部６１３ｅを有している。
【０１５１】
従って、例えば、外部から端子７へ伝えられた振動が電子部品１５に伝わるおそれが低減される。具体的には、例えば、曲げ部６１３ｅによって振動が吸収されやすい。また、例えば、端子７及び電子部品１５が収容される筐体３内の空間は小さいままで、端子７と電子部品１５との間におけるフレキシブル基板６１３の距離が確保されることになるから、この観点においても、振動が伝わりにくくなる。振動が電子部品１５まで伝わるおそれが低減されることにより、例えば、電子部品１５の剥離のおそれが低減される。
【０１５２】
＜第７実施形態＞
図８は、第７実施形態に係るカメラモジュール７０１を破断して示す模式的な斜視図である。
【０１５３】
カメラモジュール７０１は、主として、フレキシブル基板の形状が第１実施形態のカメラモジュール１と相違する。具体的には、以下のとおりである。
【０１５４】
カメラモジュール７０１のフレキシブル基板７１３は、第５実施形態のフレキシブル基板５１３と同様に、端子接続部７１３ａ、中継部７１３ｂ及び分岐部７１３ｇを有している。また、分岐部７１３ｇは、第６実施形態の分岐部６１３ｇと同様に、曲げ部７１３ｅを有しており、分岐部７１３ｇの曲げ部７１３ｅよりも先端側の部分に、電子部品１５が実装されている。ただし、分岐部７１３ｇは、第５及び第６実施形態とは異なり、外周面部３ｃの内面に表面を沿わせるように延びている。
【０１５５】
具体的には、例えば、まず、分岐部７１３ｇは、中継部７１３ｂのうち、端子接続部７１３ａから若干離れた部分から延び出ている。この中継部７１３ｂの分岐部７１３ｇが延び出る部分は、例えば、中継部７１３ｂのうち、最も外周面部３ｃの内面に近い部分である。当該部分は、中継部７１３ｂの平面状に戻ろうとする復元力によって外周面部３ｃの内面に表面を当接させていてもよい。
【０１５６】
そして、分岐部７１３ｇは、中継部７１３ｂが近接している第１の側面部３ｄに沿って延び、さらに、前記第１の側面部３ｄに交差する第２の側面部３ｄに沿って延びている。分岐部７１３ｇの、第１の側面部３ｄから第２の側面部３ｄへ移行する部分は、第２実施形態（図３）の曲げ部２１３ｅと同様に、フレキシブル基板７１３の表面を曲げる方向に曲がる曲げ部７１３ｅとなっている。
【０１５７】
分岐部７１３ｇの全体形状、各種の寸法及び筐体３内の位置は適宜に設定されてよい。図示の例では、分岐部７１３ｇは、概略、一定の幅で直線状に延びる長尺形状を有している。また、分岐部７１３ｇ（電子部品１５）は、アセンブリ１１と後面部３ｂの内面との中間位置よりも後面部３ｂ側に収まっている。ただし、分岐部７１３ｇは、その一部又は全部が上記中間位置よりもアセンブリ１１側に位置していてもよい。分岐部７１３ｇの長さも適宜に設定されてよい。
【０１５８】
分岐部７１３ｇの少なくとも一部（例えば電子部品１５が実装されている領域）は、例えば、側面部３ｄに対向する側面対向部７１３ｆを構成している。側面対向部７１３ｆの側面部３ｄに対する接着及び／又は密着の有無及びその態様は、第２実施形態（図３）の側面対向部２１３ｆと同様に適宜に設定されてよい。
【０１５９】
以上のとおり、本実施形態においても、電子部品１５は、アセンブリ１１から端子７へ延びている部分（中継部７１３ｂ及び端子接続部７１３ａ）を含んでいるフレキシブル基板７１３に実装されている。別の観点では、電子部品１５は、筐体３内で、アセンブリ１１から後面部３ｂ側に離れて位置している。従って、他の実施形態と同様の種々の効果が奏される。例えば、電子部品の分散によって、撮像素子９における熱ノイズが低減され、画質が向上する。
【０１６０】
また、本実施形態では、中継部７１３ｂから延び出た分岐部７１３ｇは、側面部３ｄの内面に沿って延びるように配置される。従って、例えば、第６実施形態（図７）に比較して、分岐部７１３ｇは、光軸方向の位置の設計の自由度が高い。なお、第６実施形態は、例えば、本実施形態に比較して、アセンブリ１１から分岐部６１３ｇを極力離すことができる。
【０１６１】
（フレキシブル基板の基準電位層）
既述のように、アセンブリ１１と端子７とを接続するフレキシブル基板は、片面基板でもよいし、両面基板でもよいし、多層基板でもよい。ここで、フレキシブル基板が両面基板又は多層基板である場合において、配線パターンが設けられている層とは別の層に基準電位層が設けられていてもよい。
【０１６２】
図９（ａ）〜図９（ｃ）は、基準電位層を有するフレキシブル基板１３の一例を示す図である。図９（ａ）は、フレキシブル基板１３の一部の断面図であり、図９（ｂ）のIXａ−IXａ線に対応している。図９（ｂ）は、フレキシブル基板１３の一部の、電子部品１５が実装される側（図９（ａ）の紙面上方）の平面図である。図９（ｃ）は、図９（ｂ）とは反対側（図９（ａ）の紙面下方）の平面図である。
【０１６３】
なお、図９（ａ）では、フレキシブル基板１３の厚さは、平面方向の寸法に対する比率が実際の比率よりも大きくされて示されている。図９（ｃ）では、フレキシブル基板１３を透視したときの電子部品１５の輪郭も点線で示されている。
【０１６４】
図９（ａ）〜図９（ｃ）では、フレキシブル基板に、第１実施形態の符号を用いているが、本例の構成は、他の実施形態に適用されてもよい。また、図９（ａ）〜図９（ｃ）では、複数の端子７のうち、基準電位が付与される端子７については、７Ｇの符号を付し、他の端子７については、７Ａの符号を付す。なお、特に両者を区別する必要がないときは、これまでと同様にＡ又はＧを付さずに言及する。
【０１６５】
電子部品１５としては、図解を容易にするために、２端子の電子部品１５を例に取る。電子部品１５は、例えば、１対のパッド状の端子１５ａを有するチップ型部品である。なお、これまでの説明から理解されるように、電子部品１５の構成は、このような構成に限定されず、３以上の端子を有するものであってもよいし、リード状の端子を有するものであってもよい。
【０１６６】
フレキシブル基板１３は、例えば、両面基板である。すなわち、フレキシブル基板１３は、絶縁性かつフィルム状の基材４１と、その一方の面（第１面４１ａ）に重なっている第１導電層４３と、他方の面（第２面４１ｂ）に重なっている第２導電層４５とを有している。なお、特に図示しないが、既に述べたように、第１導電層４３及び第２導電層４５は、適宜にソルダーレジスト等によって覆われていてよい。
【０１６７】
第１導電層４３は、電子部品１５が実装される複数（ここでは２つ）の第１導体パターン４３ａを含んでいる。特に符号を付さないが、各第１導体パターン４３ａは、例えば、電子部品１５が実装されるパッド状のランドと、ランドから延びる配線とを含んでいる。なお、図示の例では、ランド及び配線は、一定の幅で延びる矩形で示されており、両者の境界は曖昧である。
【０１６８】
第１導体パターン４３ａのランドと、電子部品１５の端子１５ａとは、バンプ状の導電性の接合材４７（例えばはんだ）によって接合されている。これにより、電子部品１５は、フレキシブル基板１３に実装されている。また、第１導体パターン４３ａの配線は、端子７Ａ、又は他の電子部品に接続されている。他の電子部品は、例えば、フレキシブル基板１３に実装されているものであってもよいし、アセンブリ１１に実装されているものであってもよい。
【０１６９】
なお、図示の例では、２つの第１導体パターン４３ａのうち、紙面左側の第１導体パターン４３ａは、端子７Ａに接続されている。より具体的には、フレキシブル基板１３には、第１導体パターン４３ａの配線の位置に孔１３ｈが形成されており、孔１３ｈに端子７Ａが挿通され、不図示の接合材によって端子７Ａと配線とが接合されている。また、紙面右側の第１導体パターン４３ａの配線は、図示している領域の外側（図７（ｂ）の紙面上方）へ延びて、他の電子部品に接続されている。
【０１７０】
第１導電層４３は、基準電位が付与される端子７Ｇに接続されている第２導体パターン４３ｂを含んでいてもよい。第２導体パターン４３ｂは、上記の第１導体パターン４３ａと同様にして端子７Ｇに接続されている。なお、図示の例では、第２導体パターン４３ｂは、電子部品に接続されていないが、第１導体パターン４３ａと同様に、配線等を含んで電子部品に接続されていてもよい。
【０１７１】
第２導電層４５は、例えば、フレキシブル基板１３の概ね全面（例えば８割以上）に亘ってベタ状に広がっている。従って、例えば、第２導電層４５は、フレキシブル基板１３を展開したときの平面透視において、端子７の周囲から電子部品１５に重なる領域まで広がる部分を含んでいる。また、例えば、第２導電層４５は、平面透視において、電子部品１５の全体に重なる部分を含んでいる。
【０１７２】
第２導電層４５は、基準電位が付与される端子７Ｇに接続されている。その接続態様は、第１導電層４３と端子７との接続態様と同様である。従って、第２導電層４５は、端子７Ｇが挿通される孔１３ｈの縁部付近まで広がっている。一方、第２導電層４５は、端子７Ａが挿通される孔１３ｈからは離れている。
【０１７３】
以上のように基準電位が付与される第２導電層４５がフレキシブル基板１３に設けられる場合においては、例えば、外部からのノイズを遮断することができる。また、例えば、本例を第３実施形態（図４（ａ）及び図４（ｂ））に適用すると、第２導電層４５のうち、後面対向部３１３ｃ及び複数の側面対向部３１３ｆに位置する部分がシールドケースのように機能することになり、ノイズの遮断効果が向上する。ノイズの遮断により、例えば、画質が向上する。
【０１７４】
以上の実施形態において、延長部２１３ｄ、３１３ｄ及び４１３ｄ並びに分岐部６１３ｇ及び７１３ｇは、曲げ部を有する延在部の一例である。フレキシブル基板１３、２１３、３１３、４１３、５１３、６１３及び７１３は、アセンブリから端子まで延びている可撓性の接続部材の一例である。
【０１７５】
フレキシブル基板のうち、筐体の後面部の内面に対向し、電子部品が実装される後面対向部は、例えば、第１実施形態のように端子接続部であってもよいし、第４実施形態のように端子接続部から延び出た延長部であってもよいし、第５又は第６実施形態のように中継部（端子接続部からアセンブリまで延びる部分）から端子接続部に対して分岐した分岐部であってもよい。
【０１７６】
また、フレキシブル基板のうち、筐体の側面部の内面に対向し、電子部品が実装される側面対向部は、例えば、第２又は第３実施形態のように端子接続部から延び出た延長部（そのうちの重複領域）であってもよいし、第７実施形態のように中継部から端子接続部に対して分岐した分岐部であってもよい。
【０１７７】
本開示に係る技術は、上述した実施形態に限定されず、種々の態様で実施されてよい。
【０１７８】
第１〜第７実施形態は、適宜に組み合わされてよい。例えば、端子接続部から延び出る延長部（第２〜第４実施形態：図３〜図５）と、中継部から分岐する分岐部（第５〜第７実施形態：図６〜図８）との双方が設けられてもよい。フレキシブル基板の表面を曲げる方向に２回以上曲げる曲げ部（第４実施形態：図５）は、後面部に収まる延長部だけでなく、重複領域を有する延長部（第２及び第３実施形態：図３及び図４）、及び分岐部（第５〜第７実施形態：図６〜図８）に適用されてもよいし、後面対向部だけでなく、側面対向部に設けられてもよい。フレキシブル基板を展開したときの平面視における曲げ部（第６実施形態：図７）は、分岐部だけでなく、延長部（第２〜第４実施形態：図３〜図５）に適用されてもよいし、後面対向部だけでなく、側面対向部に設けられてもよい。フレキシブル基板の表面を曲げる曲げ部（第２〜第４及び第７実施形態：図３〜図５及び図８）と、平面視における曲げ部（第６実施形態：図７）との双方が延長部、分岐部、後面対向部又は側面対向部に設けられてもよい。
【０１７９】
電子部品をアセンブリから後面部側（端子側）へ離れて位置させる（アセンブリに実装しない）という観点においては、電子部品が、アセンブリから端子へ延びているフレキシブル基板に実装されていることは必須の要件ではない。例えば、アセンブリから端子へ延びているフレキシブル基板（又は他の可撓性の接続部材）とは別に、電子部品が実装されるリジッド基板が後面部の内面に設けられたり、電線でアセンブリに接続された電子部品が直接に後面部の内面に固定されたりしてもよい。
【０１８０】
電子部品がフレキシブル基板に実装される場合において、電子部品の実装位置は、端子接続部、延長部又は分岐部に限定されず、例えば、中継部であってもよい。なお、これらの２以上の部位に電子部品が実装されてよいことはもちろんである。また、フレキシブル基板に実装された電子部品は、アセンブリの近傍に位置していてもよい。この場合であっても、電子部品がアセンブリのリジッド基板に実装されている場合に比較すれば、例えば、電子部品から撮像素子へ導体を介して伝わる熱が低減され、又はフレキシブル基板の電子部品とアセンブリの電子部品との間の伝導ノイズが低減される。
【０１８１】
フレキシブル基板の各部の平面形状又は立体形状は、実施形態に例示したものに限定されない。例えば、端子からアセンブリまで延びる中継部は、平面状に展開したときにＬ字状に屈曲する形状であってもよい。また、例えば、端子接続部から延びる延長部及び中継部から分岐する分岐部は、後面部に対向しているとも、側面部に対向しているとも言えない立体形状とされてよい。
【０１８２】
アセンブリは、１つのリジッド基板に電子部品が実装されて構成されたものに限定されない。例えば、アセンブリは、２以上のリジッド基板が光軸方向に積層されて構成されていてもよい。この場合、例えば、最もレンズ側のリジッド基板に撮像素子が実装され、最も端子側のリジッド基板に端子から延びるフレキシブル基板が接続されてよい。
【０１８３】
カメラモジュールの外部との接続用のコネクタは、実施形態のように端子が直接的にフレキシブル基板及び筐体に固定されるものに限定されない。例えば、コネクタは、コネクタ筐体とコネクタ筐体に保持されている複数の端子とを有し、フレキシブル基板に実装され、カメラモジュールの筐体から露出するものであってもよい。このような場合において、端子とフレキシブル基板との間に他の金属部材が介在していてもよい。なお、このようにコネクタ内の他の金属部材が介在していても、フレキシブル基板は、アセンブリから端子へ延びている、及び／又は端子に接続されていると捉えられてよい。
【符号の説明】
【０１８４】
１…カメラモジュール、３…筐体、３ａ…前面部、３ｂ…後面部、３ｄ…側面部、５…レンズ、７…端子、９…撮像素子、１１…アセンブリ、１３…フレキシブル基板、１５…電子部品。
【図１】
2019181825.tif 000003
【図２】
2019181825.tif 000004
【図３】
2019181825.tif 000005
【図４】
2019181825.tif 000006
【図５】
2019181825.tif 000007
【図６】
2019181825.tif 000008
【図７】
2019181825.tif 000009
【図８】
2019181825.tif 000010
【図９】
2019181825.tif 000011
【国際調査報告】
2019181825.tif 000012
2019181825.tif 000013
2019181825.tif 000014
2019181825.tif 000015